(57)【要約】【課題】使用者が長時間心地よく使用できる排泄物処理システムおよびオムツを提供する。【解決手段】使用者３の腰臀部を包囲するオムツカップ１２と、当該オムツカップ１２に接続され、当該オムツカップ１２内部の排泄物もしくは汚水を吸引する一方で、当該オムツカップ１２内部に洗浄水を送水する排泄物処理装置とを備えた排泄物処理システムにおいて、前記オムツカップ１２は、通気性が高く、なおかつ、水分を透過させない素材を用いて形成さている。【選択図】      図１
2004173936.tif 000002
【特許請求の範囲】
【請求項１】
使用者の腰臀部を包囲するオムツと、
当該オムツに接続され、当該オムツ内部の排泄物もしくは汚水を吸引する一方で、当該オムツ内部に洗浄水を送水する排泄物処理装置とを備えた排泄物処理システムにおいて、
前記オムツは、通気性が高く、なおかつ、水分を透過させない素材を用いて形成される
ことを特徴とする排泄物処理システム。
【請求項２】
前記素材は、ＰＴＦＥである
ことを特徴とする請求項１に記載の排泄物処理システム。
【請求項３】
前記素材は、発泡ネオプレーン系の素材である
ことを特徴とする請求項１に記載の排泄物処理システム。
【請求項４】
使用者の股間にあてがわれるカップ部と、当該カップ部から延在し使用者の臍下付近を覆う腹当て部と、当該カップ部から延在し使用者の臀部を覆う背当て部とを有してなるオムツにおいて、
前記カップ部は、当該カップ内部の排泄物もしくは汚水を吸引する一方で、当該オムツ内部に洗浄水を送水する排泄物処理装置の取付部を備え、
前記腹当て部および背当て部は、通気性が高く、なおかつ、水分を透過させない素材を用いて形成される
ことを特徴とするオムツ。
【発明の詳細な説明】
【０００１】
【発明の属する技術分野】
この発明は、病院等における歩行不能な病人または寝たきりの老人に好適な排泄物処理システムおよびオムツに関する。
【０００２】
【従来の技術】
従来、通常の体位では排泄をすることができない病人や寝たきりの老人等、自分で自分の排泄物を処理することができない人には、オシメを使用して排泄物を処理したりしていた。しかしながら、オシメを用いる場合には、付添い人などのの人的労力を必要とし、その上、オシメの交換時などに臭いを発して周囲に迷惑をかけたり、また、使用者が羞恥心を覚えたりするものである。そこで最近では、浅い器状の特殊な排泄物受具（以下、「アタッチメント」と称する）を股間に装着し、排泄後に陰部等を洗浄処理すると共に、排泄された便や汚水等を吸引処理する各種の排泄物処理装置が提案されている（例えば、特許文献１参照）。
【０００３】
【特許文献１】
特開２００２−１５３４９８号公報（第１図）
【０００４】
【発明が解決しようとする課題】
しかしながら、上記従来技術にあっては、使用者がアタッチメントを長時間装着した場合に、肌などがムレるなどして履き心地が悪くなるといった問題があった。
【０００５】
本発明は、上述した事情に鑑みてなされたものであり、使用者が長時間心地よく使用できる排泄物処理システムおよびオムツを提供することを目的とする。
【０００６】
【課題を解決するための手段】
上記課題を解決するために、請求項１に記載の発明は、使用者が横たわるマットと、前記使用者の腰臀部を包囲するオムツと、当該オムツに接続され、当該オムツ内部の排泄物もしくは汚水を吸引する一方で、当該オムツ内部に洗浄水を送水する排泄物処理装置とを備えた排泄物処理システムにおいて、前記オムツは、通気性が高く、なおかつ、水分を透過させない素材を用いて形成されることを特徴とする排泄物処理システムを提供する。
【０００７】
請求項２に記載の発明は、請求項１に記載の排泄物処理システムにおいて、前記素材は、ＰＴＦＥであることを特徴とする。
【０００８】
請求項３に記載の発明は、請求項１に記載の排泄物処理システムにおいて、前記素材は、発泡ネオプレーン系の素材であることを特徴とする。
【０００９】
請求項４に記載の発明は、使用者の股間にあてがわれるカップ部と、当該カップ部から延在し使用者の臍下付近を覆う腹当て部と、当該カップ部から延在し使用者の臀部を覆う背当て部とを有してなるオムツにおいて、前記カップ部は、当該カップ内部の排泄物もしくは汚水を吸引する一方で、当該オムツ内部に洗浄水を送水する排泄物処理装置の取付部を備え、前記腹当て部および背当て部は、通気性が高く、なおかつ、水分を透過させない素材を用いて形成されることを特徴とする。
【００１０】
【発明の実施の形態】
以下、図面を参照して本発明の実施の形態について説明する。図１は、本発明の実施形態にかかる排泄物処理システム１の構成を示す図である。この図に示すように、排泄物処理システム１は、この使用者３によって装着されるオムツカップ１２と、オムツカップ１２内部の排泄物または汚水を吸引し蓄積する排泄物処理装置１４と、使用者３が横たわるマット１０とを備えている。
【００１１】
図２に示すように、オムツカップ１２は、使用者３に装着された状態では、股下が短く膝上丈の、いわゆるショーツを模した外観をなしており、その股間に位置する箇所には、汚物収集カップ１２０及び汚物収集パイプ１２２が設けられている。この汚物収集パイプ１２２には、図１に示す如く、排泄物処理装置１４とオムツカップ１２とを接続する汚物吸引ホース１６が取り付けられる。すなわち、オムツカップ１２内の排泄物および汚水は、排泄物処理装置１４の図示せぬ吸引機構により、汚物収集パイプ１２２から汚物吸引ホース１６を通して排泄物処理装置１４に吸引され、この排泄物処理装置１４が備える貯蓄タンク（不図示）に蓄積される。
【００１２】
図３は、オムツカップ１２の展開図である。この図に示すように、オムツカップ１２は、汚物収集カップ１２０から前方に延在し使用者３の臍下付近を覆う腹当て部１２ａと、汚物収集カップ１２０から後方に延在し、使用者３の臀部を覆う背当て部１２ｂを有している。すなわち、オムツカップ１２は、一般的なショートパンツ（ショーツ）の両腰脇付近を大腿部方向に裂くと共に、汚物収集カップ１２０の取付用に股間周辺がくり抜かれ、このくり抜かれた箇所に汚物収集カップ１２０が取付けられた形状と略等しい形状を有している。このオムツカップ１２の腹当て部１２ａおよび背当て部１２ｂは、通気性が良く、なおかつ、水分を通さない素材（例えばＰＴＦＥ：ポリテトラフロロエチレン）から形成されており、使用者３が長時間装着し続けても、発汗によるムレが防止されるようになっている。なお、オムツカップ１２の素材として、ウェットスーツなどに用いられる伸縮性のある発泡合成樹脂（例えば、発泡ネオプレーン系）からなる素材を用い、フィット性を高めるようにしても良い。
【００１３】
また、背当て部１２ｂの左側部１２ｂＬと右側部１２ｂＲには、合計４つの止着部１２６が夫々取り付けられている。止着部１２６の上面（図面上面）には、夫々ベルクロワファスナー（いわゆる、マジックテープ（登録商標））が貼着されており、止着部１２６が腹当て部１２ａの表面に係止する構成となっている。
【００１４】
使用者３にオムツカップ１２を装着する場合には、汚物収集カップ１２０を股間にあてがう一方、従来のオシメをはかすように、背当て部１２ｂを臀部に、腹当て部１２ａを臍下付近にあてがい、腰および大腿部に巻き付けるべく背当て部１２ｂの両側部１２ｂＬ、１２ｂＲに設けられた止着部１２６を腹当て部１２ａの上面まで運んで貼付固定する。
【００１５】
また、このオムツカップ１２にあっては、腹当て部１２ａおよび背当て部１２ｂのうち、使用者３の腹に巻き付く箇所の縁部１２８ａ、１２８ｂ、および、使用者３の大腿部に巻き付く箇所の縁部１２８ｃ、１２８ｄには、ゴムバンドが設けられており、使用者３が装着した際の気密性が高まるようになっている。
【００１６】
次いで、汚物収集カップ１２０の構成について詳述する。図４は、汚物収集カップ１２０の側面図、図５は、その断面図である。これらの図に示すように、汚物収集カップ１２０は、曲線見を帯びた略コの字状に一体的に形成されており、その図面下方には、汚物収集パイプ１２２が一体成形されている。この汚物収集カップ１２０は、ある程度の弾性を有したプラスチックなどから形成されており、多少の押圧力が加わったとしても、その押圧力を吸収可能となっている。
【００１７】
また、図５に示すように、この汚物収集カップ１２０の側壁には、洗浄水を噴射するための洗浄ノズル１３０ａ、１３０ｂ、１３０ｃが設けられており、各洗浄ノズル１３０ａ、１３０ｂ、１３０ｃには、洗浄水チューブ１３２を介して排泄物処理装置１４から洗浄水が供給される構成となっている。洗浄ノズル１３０ａは、汚物を汚物収集パイプ１２２が設けられている方へ押し流すためのものであり、オムツカップ１２の背面（使用者３の臀部に対向する面）に設けられ、その噴射口の方向が汚物収集パイプ１２２を向くように設定されている。洗浄ノズル１３０ｂは、使用者３の肛門を洗浄するためのものであり、汚物収集パイプ１２２付近に設けられ、その噴射口の方向は、洗浄水が使用者３の肛門に向けて噴射されるように設定されている。また、洗浄ノズル１３０ｃは、女性使用者３の陰部を洗浄するためのものであり、使用者３の下腹部に相当する位置付近に設けられ、その噴射口の方向は、洗浄水が女性使用者３の陰部に向けて噴射されるように設定されている。なお、洗浄水は、使用者３の不快感を招かぬよう適度な温度の温水であることが望ましい。このように、オムツカップ１２には、女性の陰部（特に、尿内、ちつ等）を洗浄するための洗浄ノズル１３０ｃが設けられているため、排尿後も陰部を清潔に保ち、不快感を覚えることのないようになっている。なお、使用者３が男性である場合を考慮して、洗浄水チューブ１３２と洗浄ノズル１３０ｃとの間に開閉弁などを設け、洗浄ノズル１３０ｃからの洗浄水噴射を選択的に行う構成としても良い。
【００１８】
また、上述の洗浄水チューブ１３２には、洗浄水のみならず空気が供給される構成となっている。すなわち、洗浄水により使用者３の各部位を洗浄した後、空気（乾燥空気）を吹き付けることにより、乾燥させるようになっている。このように、空気は、使用者３の各部位を乾燥させるためのものであるから、洗浄ノズル１３０ａからの空気噴射は省くことが可能である。また、洗浄水チューブ１３２からオムツカップ１２内に空気が供給されることにより、この空気をオムツカップ１２内から逃がすための通気孔１３４がオムツカップ１２の側壁に穿たれている。
【００１９】
このような構成の下、使用者３が排泄した後、排泄物処理装置１４から洗浄水チューブ１３２に洗浄水が供給され、洗浄ノズル１３０ａ、１３０ｂ、１３０ｃの各々から洗浄水が噴射される。これにより、使用者３の肛門および陰部が洗浄される一方で、排泄物が汚物収集パイプ１２２の方へ流される。次いで、排泄物処理装置１４は、洗浄水チューブ１３２に空気を供給する前に、この洗浄水チューブ１３２内に残留する洗浄水を吸引して水抜した後に、洗浄水チューブ１３２に空気を供給する。これにより、使用者３の肛門および陰部の乾燥が行われる。なお、使用者３が男性である場合など、陰部の乾燥が必要ない場合には、洗浄ノズル１３０ｂからの空気噴射、すなわち、肛門の乾燥のみを行う構成としても良い。
【００２０】
また、汚物収集パイプ１２２は、図５に示すように、オムツカップ１２の底部から一端落ち込む、いわゆるＵ字状形成を成している。この構成において、排泄物は、洗浄ノズル１３０ａからの洗浄水により、汚物収集パイプ１２２の底部１２２ａに向かって洗浄水や尿などと共に集められた後、排泄物処理装置１４により汚物吸引ホース１６を経由して吸引排出される。
【００２１】
ここで、排泄物処理装置１４が吸引を開始すると、汚物収集パイプ１２２がＵ字形状をなしているため、サイフォンの原理により、汚水や洗浄水などは、吸引が停止したとしても、オムツカップ１２より低い箇所に置かれた排泄物処理装置１４のタンクなどに溜められることとなる。これにより、汚物の吸引排出が不十分であったとしても、オムツカップ１２内に汚水などが残るのが防止される。なお、汚物収集パイプ１２２は、排泄物などの液状物ばかりでなく、空気も流通できるような構造を有し、排泄物処理装置１４が汚物を空気の圧力差で吸引しても管径が小さくならないような剛性をもった屈曲管で形成されている。
【００２２】
ところで、上述のように、汚物収集パイプ１２２は、Ｕ字形状をなしているため、図６に示すように、使用者３の股間から図面下方に突出することとなる。従って、使用者３がオムツカップ１２を装着してベッドなどに仰向けで横たわると、この汚物収集パイプ１２２や汚物収集カップ１２０の背面部（使用者３の臀部に位置する部分）により、使用者３の臀部が浮き上がってしまい、使用者３の寝心地が悪くなる。
【００２３】
そこで本実施形態では、図７に示すように、使用者３が横たわるマット１０には、汚物収集パイプ１２２および汚物収集カップ１２０の背面部を収容するための収容貫通穴１０２が形成されている。このマット１０は、図８に示すように、略円柱形に膨張するように構成されたエアーセル１００がマット１０の長さ方向に適宜数（図示例では２６本）並設されて構成されている。より具体的には、マット１０の長尺方向の両端には、他とは寸法の違うエアーセル１００ａ、１００ｂ（例えば、４８ｍｍ×８２５ｍｍ）が配置され、これらのエアーセル１００ａ、１００ｂとの間に、エアーセル１００ｄ、１００ｅ（７６ｍｍ×８２５ｍｍ）が交互に並設され、寸法が１９２０ｍｍ×８２５ｍｍのマット１０が構成される。
【００２４】
また、マット１０の図面左右両側の各々には、このマット１０の長尺方向に伸びる空気導入帯１０８ａ、１０８ｂが設けられている。空気導入帯１０８ａ、１０８ｂの各々の一端（図示例では、図面下端）には、図示せぬエアポンプと接続される空気注入口１１２が設けられており、この空気注入口１１２から注入された空気がエアーセル１００ｂ、１００ｄ、１００ｅの各々に導かれるよう構成されている。
【００２５】
さらに詳述すると、マット１０にあっては、図面上方（使用者３の頭部方向）に位置する４本のエアーセル１００ａ、１００ｃを除き、１００ｄには、空気導入帯１０８ａから空気が導入され、エアーセル１００ｅおよび１００ｂには、空気導入帯１０８ｂから空気が導入される。また、使用者３の頭部に相当する箇所のエアーセル１００、すなわち、エアーセル１００ａ、１００ｃの空気圧は、常に略一定圧に維持されており、これにより、枕が載置されたときのグラツキを抑え、使用者３が不快感を覚えることのないようになっている。
【００２６】
また、このマット１０にあっては、図面左側に配置された空気導入帯１０８ａと連通するエアーセル１００ｄと、図面右側に配置された空気導入帯１０８ｂと連通するエアーセル１００ｅとが交互に並設されると共に、図面下端にエアーセル１００ｂが並設されている。すなわち、マット１０にあっては、空気の導入経路の異なるエアーセル１００ｄ、１００ｅが交互に配置される構成となっているため、空気導入帯１０８ａ、１０８ｂに注入される空気圧の各々を適宜変更することにより、空気圧の互いに異なるエアーセルが交互に配置することになる。例えば、空気導入帯１０８ａ、１０８ｂの各々に注入される空気圧を交互に間欠的に増減させ、エアーセル１００ｄ、１０８ｅを膨張、収縮させれば、使用者３とマット１０とが当接する場所を変えることができ、床ずれを防止することができる。
【００２７】
また、このマット１０の図面上下端には、固定穴１１０ａが穿たれた縁１１０が設けられており、この固定穴１１０ａに紐などを通し、ベッドの枠などに結び付けることにより、ベッド上にマット１０を固定するようになっている。
【００２８】
さらに、上述のように、マット１０のうち、使用者３の臀部から股間に相当する箇所には、オムツカップ１２の汚物収集パイプ１２２および汚物収集カップ１２０の背面部を収容するための収容貫通穴１０２が形成されている。この収容貫通穴１０２は、マット１０をくり抜いて成るものであるため、収容貫通穴１０２が形成されている箇所のエアーセル１００ｄ、１００ｅの各々は、収容貫通穴１０２により左右に分断されても、収容貫通穴１０２の両側で空気の導通が図れる構成となっている。具体的には、図９に示すように、収容貫通穴１０２によって分断された各エアーセル１００ｄ、１００ｅには、収容貫通穴１０２を挟んだ両側での空気の導通を図るためのバイパスチューブ１０４が設けられている。なお、この他にも、図１０に示すように、収容貫通穴１０２によって分断されたエアーセルを、同じ空気導入帯１０８から空気が導入されるエアーセルとバイパスチューブ１０４により接続し導通させる構成としても良い。また、収容貫通穴１０２がマット１０を貫通せず、単に凹状に形成される場合には、エアーセルが収容貫通穴１０２によって分断されることはないため、バイパスチューブ１０４を設ける必要がないことは勿論である。
【００２９】
以上説明したように、本実施形態によれば、オムツカップ１２に通気性が良い素材を用いたため、使用者３の肌がムレてしまうのが防止される。また、オムツカップ１２は、陰部に対して洗浄水を噴射するための洗浄ノズル１３０ｃを備えるため、使用者３が女性である場合に、排泄後の使用者３の陰部を洗浄することができる。さらにまた、マット１０には、使用者３の臀部から股間に相当する箇所には、オムツカップ１２の汚物収集パイプ１２２および汚物収集カップ１２０の背面部を収容するための収容貫通穴１０２が形成されているため、使用者３がマット１０に横たわったときに臀部が浮き上がってしまうといったことが防止され、寝心地が悪くなるのが防止される。
【００３０】
なお、上述した実施形態は、あくまでも本発明の一態様にすぎず、本発明は、これに限定されるものではなく、本発明の範囲内で任意に変形可能であることは勿論である。
【００３１】
【発明の効果】
以上説明したように、本発明によれば、使用者が長時間心地よく使用できる排泄物処理システムおよびオムツが提供される。
【図面の簡単な説明】
【図１】本発明の実施形態にかかる排泄物処理システムの構成を示す図である。
【図２】同オムツカップの外観構成を示す斜視図である。
【図３】同オムツカップの構成を示す斜視図である。
【図４】同オムツカップに設けられた汚物収集カップの構成を示す側面図である。
【図５】同汚物収集カップの断面図である。
【図６】同オムツカップを背面方向から見た斜視図である。
【図７】同マットに設けられた収容貫通穴を説明するための図である。
【図８】同マットの構成を示す図である。
【図９】同マットに設けられたバイパスチューブを説明するための図である。
【図１０】同マットに設けられたバイパスチューブを説明するための図である。
【符号の説明】
１  排泄物処理システム
１０  マット
１２  オムツカップ
１２ａ  腹当て部
１２ｂ  背当て部
１４  排泄物処理装置
１００  エアーセル
１０２  収容貫通穴
１０４  バイパスチューブ
１２０  汚物収集カップ
１２２  汚物収集パイプ
【図１】
2004173936.tif 000003
【図２】
2004173936.tif 000004
【図３】
2004173936.tif 000005
【図４】
2004173936.tif 000006
【図５】
2004173936.tif 000007
【図６】
2004173936.tif 000008
【図７】
2004173936.tif 000009
【図８】
2004173936.tif 000010
【図９】
2004173936.tif 000011
【図１０】
2004173936.tif 000012